(57)【要約】【課題】  従来の固定フードと該固定フードに対して回動自在な開閉フードとからなるフードにあっては、被施術者の前髪の部分が固定フードが位置するために、前髪の部分にロッドを巻き付ける作業においては固定フードが邪魔になるという問題があり、また、フードが汚れて洗浄するような場合には、固定フードが蒸気発生装置や温風供給装置が収容されている処理装置本体に対して固定されているために、取り外し作業が非常に面倒であるといった問題があった。【解決手段】  被施術者の後頭部を覆う第１フード７と、前頭部を覆う第２フード８とから構成され、各フードは頂角部において回動自在に軸支部材９，１０によって軸支され、該軸支部材がパーマネントウェーブ処理装置のハウジング３に対して回動自在に取付けたパーマネントウェーブ処理装置用フードである。【選択図】        図１１
2008036195.tif 000002
【特許請求の範囲】
【請求項１】
被施術者の後頭部を覆う第１フードと、前頭部を覆う第２フードとから構成され、各フードは頂角部において回動自在に軸支部材によって軸支され、該軸支部材がパーマネントウェーブ処理装置のハウジングに対して回動自在に取付けられていることを特徴とするパーマネントウェーブ処理装置用フード。
【請求項２】
前記第１フードと第２フードを軸支する軸支部材の１つが、第１フードと第２フードの相対角度の所望角度位置でも締め付け固定可能な締付部材であることを特徴とする請求項１記載のパーマネントウェーブ処理装置用フード。
【請求項３】
前記第１フードと第２フードを軸支する軸支部材の他の１つが、第２フードが施術角度位置においてロックされ、施術中に第２フードが被施術者の顔面側に回動するのを防止するためのロック部材であることを特徴とする請求項１記載のパーマネントウェーブ処理装置用フード。
【請求項４】
前記第１フードと第２フードを軸支する軸支部材がハウジングに対して着脱自在に取付けられていることを特徴とする請求項１記載のパーマネントウェーブ処理装置用フード。
【請求項５】
前記第１フードと第２フードとの重なり量を少なくし施術状態とした状態において、第２フードの開口部に取付けられている覆い布によって被施術者の額部分から後頭部全体を覆い、パーマネントウェーブ処理装置より送風される温風等が外部に漏れないようにしたことを特徴とする請求項１記載のパーマネントウェーブ処理装置用フード。
【発明の詳細な説明】
【技術分野】
【０００１】
本発明は、毛髪のパーマネントウェーブ処理装置において、毛髪にロッドを巻き付けた被施術者の頭部を覆うと共に被施術者の頭部を加温雰囲気とするフードであって、前記ロッドに巻かれている毛髪をロッド内を負圧にして短時間で乾燥させるために、ロッドと負圧チューブとを接続する作業が容易に行えるようにフードに改良を施したパーマネントウェーブ処理装置用フードに関する。
【背景技術】
【０００２】
従来におけるマネントウェーブ処理を行うときに、被施術者の頭部に被せるフードとしては、有底円筒状のお釜と呼ばれるフードである。このフードの場合には、被施術者の毛髪にロッドを巻き付けた状態においてフードを被せるものであるため、フードを被せた後にロッドの巻き付けをし直したり、新たに毛髪にロッドを追加して巻き付けるような場合には、フードを被施術者の頭部から外して行わなければならないので、修正作業や追加作業が非常に面倒であるといった問題があった。
【０００３】
そこで、本出願人は、特開２００４−４１６号公報の発明を開発した。このフードは、フードを固定フードと開閉フードの２つの部材とし、開閉フードを固定フードの前方、被施術者に被せた状態で前頭部方向を軸として開閉可能としたフードである。このフードにあっては、施術者にフードを被せた状態において開閉フードを固定フードに対して前方に開放することで、フードの上からロッドを巻き付けることが可能なので、前記した修正作業やロッドの追加作業が行い易いといった利点があった。
【０００４】
【特許文献１】特開２００４−４１６号公報
【発明の開示】
【発明が解決しようとする課題】
【０００５】
ところで、前記した特開２００４−４１６号公報の発明においては、被施術者の前髪の部分が固定フードが位置するために、前髪の部分にロッドを巻き付ける作業においては固定フードが邪魔になるという問題があり、また、フードが汚れて洗浄するような場合には、固定フードが蒸気発生装置や温風供給装置が収容されている処理装置本体に対して固定されているために、取り外し作業が非常に面倒であるといった問題があった。
【０００６】
本発明は前記した問題点を解決せんとするもので、その目的とするところは、被施術者の後頭部を覆う第１フードと、前頭部を覆う第２フードとを開閉自在に軸支し、２つのフードの角度を自由に設定可能となし、これにより毛髪に対するロッドの位置修正や新たなロッドの巻き付け時にフードが邪魔になるようなことがなく、また、２つのフードを一体化した状態で処理装置本体に対して着脱自在となし、これによりフードの清掃も処理装置本体から外して行えるので、清掃を簡単に行うことができるパーマネントウェーブ処理装置用フードを提供せんとするにある。
【課題を解決するための手段】
【０００７】
本発明のパーマネントウェーブ処理装置用フードは前記した目的を達成せんとするもので、請求項１の手段は、被施術者の後頭部を覆う第１フードと、前頭部を覆う第２フードとから構成され、各フードは頂角部において回動自在に軸支部材によって軸支され、該軸支部材がパーマネントウェーブ処理装置のハウジングに対して回動自在に取付けられていることを特徴とする。
【０００８】
請求項２の手段は、前記した請求項１において、前記第１フードと第２フードを軸支する軸支部材の１つが、第１フードと第２フードの相対角度の所望角度位置でも締め付け固定可能な締付部材であることを特徴とする。
【０００９】
請求項３の手段は、前記した請求項１において、前記第１フードと第２フードを軸支する軸支部材の他の１つが、第２フードが施術角度位置においてロックされ、施術中に第２フードが被施術者の顔面側に回動するのを防止するためのロック部材であることを特徴とする。
【００１０】
請求項４の手段は、前記した請求項１において、前記第１フードと第２フードを軸支する軸支部材がハウジングに対して着脱自在に取付けられていることを特徴とする。
【００１１】
請求項５の手段は、前記した請求項１において、前記第１フードと第２フードとの重なり量を少なくし施術状態とした状態において、第２フードの開口部に取付けられている覆い布によって被施術者の額部分から後頭部全体を覆い、パーマネントウェーブ処理装置より送風される温風等が外部に漏れないようにしたことを特徴とする。
【発明の効果】
【００１２】
本発明は前記したように、被施術者の後頭部を覆う第１フードと、前頭部を覆う第２フードとから構成し、各フードは頂角部において回動自在に軸支部材によって軸支した状態でパーマネントウェーブ処理装置に対して回動自在に取付けたので、如何なる場所におけるロッドの巻き付け位置の修正や新たなロッドの巻き付け時にフードが邪魔になるようなことがない。
【００１３】
また、第１フードと第２フードを軸支する軸支部材の１つが、第１フードと第２フードの相対角度の所望角度位置でも締め付け固定可能としたので、２つのフードを重ねて被施術者の顔面側に移動することで、前髪のロッドの巻き付け等の作業も容易に行うことができる。
【００１４】
さらに、第２フードが施術角度位置においてロック部材によってロック可能であることから、第２フードが被施術者の顔面側に回動するのを防止できるので、施術中にフードが回動して被施術者の前に回動して驚かすような不快感を与えることがない。
【００１５】
さらにまた、第１フードと第２フードを軸支する軸支部材が前記パーマネントウェーブ処理装置に対して着脱自在に取付けられているので、施術内容により被施術者の額側の毛髪処理を行う場合にフードを外すことで施術が容易となり、また、フードの清掃も容易に行うことができる。
【００１６】
また、施術状態において、第２フードの開口部に取付けられている覆い布によって被施術者の額部分から後頭部全体を覆い、パーマネントウェーブ処理装置より送風される温風が外部に漏れないようにしたので、フード内より漏れ出る温風や、パーマ液等の臭いが外部に漏れて被施術者に不快感を与えることがなく、ロッドからの吸引も効率良く行われ乾燥時間を早めることができる等の効果を有するものである。
【発明を実施するための最良の形態】
【００１７】
本発明は、被施術者の後頭部を覆う第１フードと、前頭部を覆う第２フードとから構成し、第１、第２フードを重ねた状態でロッドとチューブの接続を行い、第１、第２フードを開いた状態でパーマの施術処理を行う。
【実施例１】
【００１８】
以下、本発明のパーマネントウェーブ処理装置の実施例を図面と共に説明する。
本発明のパーマネントウェーブ処理装置は大きく分けて、ロッドＲから吸引した温風を吸引すると共にヒーターＨによって加温した空気を排出するブロワ１と、該ブロワ１によって吸引した温風と水分やパーマネントウェーブ用の薬液や異物を分離する汽水分離装置２とが収容されたハウジング３とからなる本体Ａと、該ハウジング３の上部に取り外し可能で、かつ、２つに分離され開閉自在なフードＦとから構成されている。なお、図１においてＣは被施術者がパーマネントウェーブ処理を行う時に着座する椅子である。また、本体Ａにはキャスター３１が取付けられ移動自在となっている。
【００１９】
次に、本体Ａの詳細について説明するに、モータとファンとから構成されたブロワは、前記ハウジング３内の中央部に固定されており、ロッドＲ内を負圧状態とすることでロッドＲに巻かれている毛髪を介してフードＦ内の温風を吸引して下部に配置されている汽水分離装置２に供給し、該汽水分離装置２によって薬液等の液体や異物が除去された空気を吸引し、吸引した空気を上方に取付けられているヒーターＨに向かって排出し、該ヒーターＨによって所定の温度に加熱された空気をハウジング３に形成された吹出口３２からフードＦ内に戻す動作をするものである。なお、本発明の実施例では、ブロワ１の上方にヒーターＨを配置し、ブロワ１からの空気を加熱して温風をフードＦ内に供給する方式で説明しているが、フードＦ内に供給する温風は外部からの温風をブロワが吸引して送風するようにしてもよく、要は、フード内が加熱雰囲気となればよいものである。
【００２０】
汽水分離装置２は前記ブロワ１の真下に位置し、吸引した空気に渦流を発生させ下方に排出する渦流発生器２１と、該渦流発生器２１の下側に着脱自在に取付けられブロワ１からの汽水に含まれている薬液や異物を貯留するカップ２２と、該カップ２２内に抜き差し自在に収容され渦流内に含まれている薬液や異物をカップ２２内に送り出すためのスリット２３ａを有する漏斗状の分離器２３とから構成されている。なお、前記汽水分離装置２におけるカップ２２はハウジング３の前方に開閉自在に取付けられた蓋３３を開放して外に取り出すことで、カップ２２内に滞留している流体を排出することができる。
【００２１】
前記カップ２２は前記渦流発生器２１に対して着脱自在に取付けられているが、その構造は図４〜図６に示す構造となっている。すなわち、渦流発生器２１にはカップ２２の鍔部２２ｂと係合される係合溝２１ａが形成され、また、渦流発生器２１の前記係合溝２１ａが形成されている反対側にはロック爪２１ｂが形成されている。一方、カップ２２の鍔部２２ｂには前記ロック爪２１ｂが通過する開口孔２２ｃが形成され、かつ、開口孔２２ｃを通過したロック爪２１ｂと係合されロック可能なハンドル２２ｄが回動自在に取付けられている。カップ２２は上方が円筒形状で、中間より下側における前記ハンドル２２ｃの回動方向と同じ方向の面には段部２２ｅが形成されている。また、前記ハウジング３の前記開口部には前記カップ２２の段部２２ｅの下面が載置される開口部側に向かって傾斜するガイドレール３５が形成されている。なお、２２ｆはカップ２２の把手である。
【００２２】
このように構成することで、カップ２２を渦流発生器２１に取付けるには、カップ２２をハウジング３の開口部のガイドレール３５にカップ２２の段部２２ｅを乗せた状態でスライドさせ奥側に差し込むと、カップ２２の鍔部２２ｂが渦流発生器２１の係合溝２１ａに係合された状態で停止する。この状態において、カップ２２の把手２２ｆを押し上げると、ロック爪２１ｂが鍔部２２ｂに形成されている開口孔２２ｃ内に入り込み先端が開口孔２２ｃを通過する。ここで、ハンドル２２ｄを回動することでハンドル２２ｄの上端とロック爪２２ｂが係合されロック状態となる。
【００２３】
前記ハウジング３の上面のフードＦを取付ける斜面には前記吹出口３２が取付けられ、この吹出口３２の左右にはロッドＲ内を負圧状態とするチューブ４が引き出される引出し部材５が取付けられている。チューブ４の先端にはロッドＲと脱着可能で、かつ、ロッドＲに対して回動自在な取付具４１が取付けられている。また、ロッドＲには外周面に多数の空気流通孔Ｒ１が形成されているので、チューブ４を接続具４１を介してロッドＲに接続し、チューブ４内を負圧状態とするとロッドＲ内も負圧状態となり、従って、ロッドＲに巻かれている毛髪の薬液等の流体はチューブ４内に吸引され、かつ、フードＦ内を加温状態とすることで毛髪も加温され乾燥時間を早めることが可能となる。
【００２４】
前記チューブ４の引出し部材５は、チューブ４の径より大きな長孔５１ａが形成された固定台５１と、チューブ４より僅かに大きな丸孔５２ａが形成され、かつ、固定台５１に対してスライド可能な可動台５２とより構成され、チューブ４を引出したり収納したりする場合には図６に示すように、可動台５２の丸孔５２ａが固定台５１の長孔５１ａの中心に位置するようにスライドすることで容易に行え、また、チューブ４を固定状態とする場合には図７に示すように、可動台５２の丸孔５２ａが固定台５１の長孔５１ａの中心より外れた位置となるようにスライドすることでチューブ４は摩擦抵抗によって固定状態となる。
【００２５】
なお、引出し部材５の構造としては前記した実施例に限定されるものではなく、チューブ４の外周に対して密着したり、外周に対して隙間を作ることが可能な構造のものであれば全て含まれるものである。また、前記した固定台５１はチューブ４が比較的密の状態で嵌挿されている基台５３に固定されている。そして、この基台５３には後述する吸引パイプ６の上端が気密の状態で嵌合されるように構成されている。また、ロッドＲを装着しないチューブ４の接続具４１には図示しないキャップを嵌合して吸引時にロッドＲの吸引力が弱まらないようする必要がある。
【００２６】
前記引出し部材５から垂れ下がっているチューブ４が収納される吸引パイプ６は、合成樹脂等の材料でパイプ状に形成されており、一端が前記した引出し部材の基台５３に気密の状態で嵌合され、他端が前記した汽水分離装置２の渦流発生器２１の相対抗する側面に気密の状態で嵌合されている。そして、吸引パイプ６はハウジング３の側面に沿って配置される。従って、ブロワ１を駆動すると渦流発生器２１によって吸引パイプ６内は負圧状態となり、この負圧状態によりチューブ４内も負圧状態となり、ロッドＲ内は負圧となる。
【００２７】
なお、気密状態で引出し部材５と渦流発生気２１に嵌合されている吸引パイプ６を外すことで、吸引パイプ６はハウジング３から分離できるので、チューブ４を吸引パイプより抜き出すことが可能となり、チューブ４の洗浄を容易に行うことができる。
【００２８】
次に、フードＦの詳細を図１１〜図１４と共に説明する。
フードＦは略円弧状に形成された第１フード７と第２フード８および該第１、第２フードの頂角部において回動、かつ、締め付け可能に締め付ける締付部材９と、第２フード８のみをロック可能とするロック部材１０とから構成されている。そして、ハウジング３に対しては前記締付部材８とロック部材１０を介してハウジング３の受け凹部３４に嵌め込み、取り外し自在に取付けられている。なお、第１、第２フード７，８の形状は円弧状に限定されるものではなく、四角、六角形状等のような頭部を覆う形状であればどのような形状であってもよい。
【００２９】
そして、ハウジング３の受け凹部３４に取付けた状態において、第１フード７がハウジング３の上部開口縁部に密着状態で載置され、また、第２フード８の開口部には被施術者の額から襟部の頭部を覆う気密性の柔軟な覆い布８ａが取り外し可能に取付けられている。なお、第１フード７に対して第２フード８を重ねる方向に回動した時に、第２フード８が容易に開く方向に移動しないように、第２フード８の第１フード７の内面に形成されている突条（図示せず）と係合される止めバネ８ｂが取付けられている。
【００３０】
また、前記締付部材９は摘み９１を回転することで第１フード７と第２フード８を所望の角度位置で（例えば、図１４（ｂ）に示す第２フード８を第２フード８側に重ね、着座している被施術者の後頭部側からチューブ４をロッドＲに嵌合する作業が行い易い位置と、図１４（ｃ）に示す第２フード８を被施術者の顔側に位置させた状態において第１フード７を重ね、被施術者の前頭部側からチューブ４をロッドＲに嵌合する作業が行い易い位置）で固定することが可能であり、また、ロック部材１０は第１フード７に対して第２フード８を最大限に開いた状態（図１、図２）において、該第２フード８がロックされるようになっている。
【００３１】
次に、締付部材９の構造について図１１の断面図と共に説明する。
図１１において、９１は前記ハウジング３の受け凹部３４に対して着脱自在に装着可能な装着部材にして、中央部には雌ネジ９１ａが形成されている。９２は前記雌ネジ９１ａに螺合される雄ネジ９２ａが形成された円筒部９２ｂが形成されたネジ部材にして、先端には指操作によって回し易いように凹凸面が形成された操作摘み９２ｃが一体的に形成されている。そして、前記円筒部９２ｂには第１、第２フード７，８の頂角部に形成された孔７１，８１が軸支されている。
【００３２】
このように構成した締付部材９における装着部材９１の雌ネジ９１ａに対してネジ部材９２の雄ネジ９２を緩めると、第１、第２フード７，８相互の間隔が広くなるので、両者は回動可能となり、また、締め付けると装着部材９１とネジ部材９２との間が狭くなるので、第１、第２フード７，８は固定状態となる。従って、第１フード７と第２フード８との重なり角度および図１１に示すハウジング３に対する第１、第２フード７，８の回転角度を自由に設定することができる。
【００３３】
次に、ロック部材１０の構造について図１２、図１３と共に説明する。
図１２、図１３において、１０１は前記ハウジング３における前記締付部材９の装着部材９１が装着される受け凹部３４とは反対側に形成されている受け凹部３４に着脱自在に装着可能な装着部材、１０２は該装着部材１０１内に摺動可能（図１２において左右方向に摺動可能）に取付けられ、かつ、操作摘み１０２ａが一体的に形成された操作部材にして、前記操作摘み１０２ａ内にはスプリング１０３が収納されている。また、操作部材１０２には第２フード８の内面に形成された楔状の係合突起８ｃが係合される凹状の係合部１０２ｂが形成されている。なお、前記係合突起８ｃは第２フード８を図１、図２の施術位置に回動した時に前記係合部１０２ｂに係合される位置に形成されている。
【００３４】
１０４は前記装着部材１０１に取付けられたキャップにして、該キャップ１０４には前記第１、第２フード７，８の頂角部に形成された孔が回転自在に軸支される円筒部１０４ａが形成されると共に前記操作摘み１０２ａの先端が臨む摘み用孔１０４ｂが形成されている。そして、キャップ１０４の摘み用孔１０４ｂから露出している前記操作摘み１０２ａをスプリング１０３のバネ力に抗して押すと、図１３の如く第２フード８に形成されている係合突起８ｃが位置している場合には係合部１０２ｂに係合突起８ｃが係合され、従って、第２フード８はこの位置においてロック状態となって回動不能な状態となる。
【００３５】
このように構成したロック部材１０にあっては、パーマネントウェーブ処理を行える位置（図１、図２の状態）に第２フード８を回転する時には、操作摘み１０２ａをスプリング１０３のバネ力に抗して押しながら行う。そして、第２フード８の係合突起８ｃが係合部１０２ｂに達した位置において操作摘み１０２ａの押圧力を解除するとスプリング１０３のバネ力によって操作部材１０２は元の位置に戻って図１３に示すように係合部１０２ｂに係合突起８ｃが係合され、これにより、第２フード８の回転は阻止される。このように施術状態において第２フード８がロックされ動くことがないので、施術中の被施術者に安心感を与えることができる。
【００３６】
次に、前記したパーマネントウェーブ処理装置を使用して毛髪の処理を行うための制御装置について図１５〜図１７と共に説明する。
図１５は前記処理装置におけるハウジング３の頂部傾斜面に取付けられた操作盤１１の正面図、図１６は該操作盤１１の操作によって駆動する制御回路１３、図１７は該制御回路１３の動作を説明するためのフローチャートである。
【００３７】
先ず、操作盤１１について説明するに、全体が円盤状に形成され外周にリング状の操作部１１２が形成され、該操作部１１２の内側に表示部１１１が形成されている。そして、表示部１１１には施術時間を数字で表示する時間表示部１１１ａと、施術温度を発光ダイオードの切換えで表示する温度レベル表示部１１１ｂと、被施術者の毛髪に巻き付けるロッドＲの本数を発光ダイオードの切換えで表示するロッド数表示部１１１ｃと、被施術者の毛髪の量と毛髪のダメージとによって１〜９のレベル（枡目状の表示部分の発光ダイオードが点灯）で表示を行うモード表示部１１１ｄとから構成されている。
【００３８】
なお、前記温度レベル表示部１１１ｂにおける発光ダイオードは、青色発光ダイオード点灯のヒーター制御オフと、４５℃〜５５℃の温度表示を低い温度から順次青色１個、黄色２個、橙色２個、赤色２個の計７個が直線状に配置され、温度が高くなるにしたがって順次追加点灯されるようになっている。また、ロッド数表示部１１１ｃにおける発光ダイオードは、例えば、１〜９本を使用した場合に黄色発光ダイオード２個が点灯され、１０〜１７本を使用した場合に橙色発光ダイオード２個が点灯され、１８〜２６本を使用した場合に赤色発光ダイオード２個が点灯されされるようになっている。なお、前記した説明ではロッド数を３段階で表示する場合について説明したが３段階に限定されるものではなく、また、各段階毎におけるロッド数も前記数に限定されるものではない。
【００３９】
次に、前記表示部１１１ａ〜１１１ｄの外周に配置されたスイッチ１１２ａ〜１１２ｈについて説明する。
１１２ａは時間補正用（後述する制御回路１３によって設定された施術時間を施術者等が経験則から訂正する）のスイッチにして、上向きの矢印が時間増加用スイッチ、下向きの矢印が時間減少用スイッチである。１１２ｂは前記した時間補正と同じく施術者が操作する温度補正のスイッチにして、上向きの矢印が温度上昇用スイッチ、下向きの矢印が温度低下用スイッチである。
【００４０】
１１２ｃは施術者の毛髪を巻き付けるロッドＲの本数を設定するためのロッド数設定スイッチにして、上向きの矢印が毛髪を巻いたロッド本数が多い場合に操作する多本数用スイッチ、下向きの矢印がロッド本数が少ない場合に操作する小本数用スイッチである。１１２ｄはロッドに巻き付けた毛髪の量を３段階（少ない、普通、多い）で操作するための毛髪量設定スイッチ、１１２ｅは毛髪のダメージレベルを３段階（良い、普通、悪い）で操作するためのダメージ設定スイッチにして、前記毛髪量設定スイッチ１１２ｄとの操作回数で後述する制御回路１３のＲＯＭに記憶されている１〜９のレベルが自動的に設定される。
【００４１】
１１２ｆは後述する制御回路１３によって時間、温度およびレベルが自動設定された後に操作し、また、動作中におい操作すると停止するスタートスイッチ、１１２ｇはオン操作している時のみ風がフード内に送風すると共にロッド内を負圧状態とし、ロッドＲとチューブとを接続状態が完全な状態であるか、また、ロッドＲと接続していないチューブが開放状態となっていないかを音やブロワ１の電流を検出して確認するためのテスト用スイッチ、１１２ｈは作動音（送風を行いながら吸引を行った時に発生する音）を小さくするために出力を低下させる消音スイッチにして、該消音スイッチ１１２ｈを操作するとサイレントランプ１１１ｅが点灯されるようになっている。
【００４２】
次に、図１６の制御回路１３について説明する。なお、前記した操作盤１１の説明で使用した符号と同じ符号は同一部分を示し説明は省略する。
１３ａは回路全体の動作を行うためのＣＰＵ、１３ｂはフード内の所望個所に設置され、フード内の温度を検出するフード内温度検出用の温度センサ、１３ｃは温風を供給すると共に吸引を行うためのモータに過負荷が加わったことを検出し、および、本体に組み込まれた傾斜センサが動作して本体が転倒するような状態となった時やヒーターが異常温度となった時に電源をオフにするための安全スイッチである。
【００４３】
１３ｄは前記ロッド数設定スイッチ１２ｃ、毛髪量設定スイッチ１２ｄおよびダメージ設定スイッチ１２ｅを操作し入力することで、施術時間を何分にするかおよび施術温度を何度にするかのデータが記憶されたＲＯＭ、１３ｅは施術者が希望に応じて各種の設定を行ったことを記憶するＲＡＭ、１３ｆはヒーターの温度制御を行う、例えば、ヒーターへの通電をオン・オフ制御するためのリレー等のヒーター制御部、１３ｇは前記ＲＯＭ１３ｄによって設定された時間をスタートスイッチ１２ｆをオンしてから減算しするタイマ、１３ｈは送風手段のオン・オフ制御や送風量の制御を行うためのブロア制御部、１３ｉは前記表示部１１１の点灯制御を行う制御部である。そして、これらのスイッチや制御部は前記ＣＰＵ１３ａに対して入出力バスを介して接続されている。
【００４４】
次に、前記した制御回路１２の動作を図１７のフローチャートに基づいて説明する。
先ず、毛髪にロッドＲを巻き付けた状態において本発明のパーマネントウェーブ処理装置の前に着座した後、ロッドＲに取付具４１を嵌合し、かつ、取付具４１が装着されていないロッドＲの取付具４１の接続部分には封止部材を嵌合して空気漏れを防止した後にフードＦを被施術者の頭部に被せると共に覆い布８ａで密閉状態とする。
【００４５】
この状態において、図示しない主電源のスイッチをオン（ステップＳ１）にすると制御回路１３は駆動状態となる。そして、毛髪に巻き付けたロッドＲの本数をロッド数設定スイッチ１１２ｃを操作して入力する（ステップＳ２）。次いで、毛髪のダメージ状態をダメージ設定スイッチ１１２ｅを操作して入力し（ステップＳ３）、さらに、ロッドに巻き付けた毛髪の量が多いか否かを判断して毛髪量設定スイッチ１１２ｄを操作して入力し（ステップＳ４）。
【００４６】
上記３つの設定が終了すると、毛髪の処理時間、毛髪の加熱温度とブロアの出力強度のモードがＲＯＭ１３ｄに記憶されているデータから拾いだされ時間と温度が決定され（ステップＳ５）、時間表示部１１１ａと温度レベル表示部１１１ｂに表示される。この状態においてＣＰＵ１３ａはスタートスイッチ１１２ｆが操作されたか否かを監視し（ステップＳ６）、操作されたと判断するとタイマの減算が開始され（ステップＳ７）、かつ、ブロア１が駆動を開始し送風を開始する（ステップＳ８）。この送風が開始されるとチューブ４を介して吸引が行われるので、ロッドＲ内が負圧状態となって毛髪中を空気が通過して乾燥を早めることになる。
【００４７】
また、前記ステップＳ８のブロア駆動と同時にフードＦ内に設置された温度センサ１２ｂがフード内の温度を検出するが、スタートスイッチ１１２ｆをオンした時のフード内の温度は室内温度となっており低いため、ヒーター制御１３ｆが開始される（ステップＳ９）。そして、ヒーター制御が開始され所定の温度（ＲＯＭによって決定された温度）となるように制御が開始される（ステップＳ１０）。
【００４８】
前記した温度管理を行いながらＣＰＵ１３ａは前記設定された時間に達したか否かを監視し（ステップＳ１１）、設定時間に達していないと判断するとステップＳ８に戻って前記した制御を行い、また、設定時間に達したと判断するとスタンバイの状態となり（ステップＳ１２）、ステップＳ２に戻って、次の被施術者のパーマネントウェーブ処理の開始待ち状態となる。
【００４９】
なお、前記した実施例はロッドの本数、毛髪の量、毛髪のダメージ状態の３つの条件を入力することによりタイマ、温度、ブロワ出力が自動設定される場合について説明したが、被施術者が経験則等から前記３つの条件の内、１つまたは２の条件を入力することで前記タイマ、温度、ブロワ出力を決定したいような場合には、１つまたは２つの条件を入力した後に、図示しない決定スイッチを操作することで施術の開始が行われるようにしてもよい。この場合には、ＲＯＭ１３ｄには各入力条件でタイマ、温度、ブロワ出力を決定するためのソフトを作成する必要がある。
【００５０】
次に、前記した本発明のパーマネントウェーブ処理装置を使用してパーマネントウェーブ処理を行う作業工程について説明する。
先ず、毛髪にロッドＲを巻き付け、巻き付けられた毛髪にパーマネントウェーブ用の還元剤である第１液を塗布し、十分に薬剤と毛髪が反応するまで放置した後に薬剤を洗い流す。それから、本発明のパーマネントウェーブ処理装置を被施術者の頭髪にセットする。この時、図１４の（ａ）に示すフードＦの第１フード７に対して第２フード８が重なった状態の導入状態となっている。
【００５１】
被施術者が着座したなら、図１１（ｂ）に示すように第２フード８を被施術者の頭部を覆う位置まで回動し、かつ、第１フード７を第２フード８側に重ねた状態となし締付部材９でロックして固定する。この状態においてチューブ４を引出し部材５より引き出して毛髪が巻かれているロッドＲに接続する。なお、ロッドＲが接続されていないチューブ４には取付具４１に対してキャップを嵌合して空気の吸引が行えないようにする。また、図１１（ｂ）に示す第１、第２フード７，８の状態では被施術者の前頭部の毛髪に巻かれているロッドＲへのチューブ４の接続が困難な場合には、フードＦをハウジング３から外して接続作業を行ってもよい。
【００５２】
そして、毛髪が巻かれているロッドＲに対するチューブ４の接続が終了したなら、図１、図２に示すように第１、第２フード７，８を広げた状態として被施術者の頭部全体を覆う。この状態において第２フード８の止めバネ８ｂによって第１、第２フード７，８はロック状態となる。さらに、頭部と第２フード８の開口部との間に隙間が発生するので、被施術者の額部から首後ろ部に対して覆い布８ａで覆って外部と隔離した状態とする。
【００５３】
次に、スタートスイッチ１１２ｆを操作して制御回路１３をオンの状態となし、かつ、操作盤１１のロッド数設定スイッチ１２ｃ、毛髪量設定スイッチ１２ｄおよびダメージ設定スイッチ１２ｅを操作することで、前記した制御回路１３の動作によって処理時間と処理温度とが設定され、設定された温風によってフードＦ内は一定の温度に保たれる。また、チューブ４内が負圧となることでロッドＲ内も負圧となって温風がロッドＲを通過することで、ロッドＲに巻かれている毛髪の乾燥は速やかに行われる。また、吸引された温風内に含まれる薬液や異物を汽水分離装置２によって空気分離し、温風のみがブロワ１によって吸引されると共にヒーターＨを介してフードＦ内に供給される。
【００５４】
そして、前記乾燥工程が終了したなら乾燥した毛髪に対して酸化剤を含むパーマネント第２液を塗布し、室温にて放置し、毛髪の内部結合を再結合することで乾燥状態での形状を記憶させる。そして、毛髪の酸化が終了したなら毛髪を洗髪し、乾燥させてスタイリングを行うことで作業は終了する。
【実施例２】
【００５５】
前記した実施例では、ロッドＲが巻かれた毛髪に対して温風を供給し、吸引することで毛髪を乾燥させて、の処理を行う場合について説明したが、蒸気を当てて毛髪に多くの水分を保持したまま（毛髪を乾燥させずに）毛髪の温度を上げてから、乾燥させることにより、より効率の高いパーマネントウェーブ処理が行える。
【００５６】
そこで、第２の実施例は前記した第１の実施例に加え毛髪に蒸気を与えるための蒸気発生装置を一体的に組み込んだものであって、図１８〜図２０と共に説明する。なお、第１の実施例と同一符号は同一部分を示し説明は省略する。
１４はハウジング３の側面に取付けられた公知の蒸気発生装置にして、タンク内の水をヒーターによって加熱し蒸気を発生させ蒸気管１４ａを介してフードＦ内に供給する構造のものである。
【００５７】
前記蒸気発生装置４よりの蒸気を導出する蒸気管１４ａには水密状態で回転管１４ｂが接続され、この回転管１４ｂの先端はハウジング３の上部における前記吹出口３２の上方に達しており、該回転管１４ｂの先端には蒸気吹出管１４ｃが吹出口３２の上方において平行な状態で位置している。なお、１４ｄは蒸気吹出孔である。
【００５８】
この蒸気発生装置１４を組み込んだパーマネントウェーブ処理装置を利用してパーマネントウェーブ処理を行う作業工程について説明する。
前記した蒸気発生装置１４が組み込まれていないパーマネントウェーブ処理装置によるパーマネントウェーブ処理と異なる点は、毛髪に第１液が塗布されている状態においてフードＦ内を温風による加温状態に変えて蒸気発生装置１４より蒸気をフードＦ内に供給して湿度と温度が高い状態とし、毛髪を加温することが可能となる。また、ブロワ１の駆動と組み合わせて、ゆっくりと蒸気を吸引してロッドＲに巻かれている毛髪と第１薬液を十分に反応させることも可能となる。
【００５９】
前記に示している乾燥の処理工程において、乾燥処理の前に蒸気で加温することにより、毛髪に含まれている水分が多い状態で毛髪の温度を上げることが可能となり、毛髪内部の分子が動き易い状態でロッドＲによって変形されている形状に分子が十分に移動した後に、温風の供給と吸引による乾燥を行うことにより蒸気処理を行わない場合と比べ、仕上がりにおいてよりロッド径に対して忠実なウェーブの形成が可能となる。蒸気による加温後の処理は、蒸気の供給を停止し、その後の工程は前記した第１の実施例と同様にロッドＲが巻かれた毛髪に対して温風を供給し、吸引することで毛髪を乾燥させる工程であるので、詳細な説明は省略する。
【００６０】
なお、第２の実施例では蒸気発生装置１４をハウジング３の外部に取付けたもので示したが、該蒸気発生装置１４はハウジング３内に組み込み、かつ、蒸気をフードＦ内に供給することが望ましい。
【図面の簡単な説明】
【００６１】
【図１】本発明のパーマネントウェーブ処理装置の側面図である。
【図２】同上の縦断面図である。
【図３】要部の背面図である。
【図４】汽水分離装置におけるハウジング内に取付けられている渦流発生器にカップを装着した状態の正面図である。
【図５】同上の断面図である。
【図６】カップを渦流発生器から外す途中の状態を示す断面図である。
【図７】図１の一部を断面した側面図である。
【図８】フードを開放した実施例の斜視図である。
【図９】チューブの引出しが可能な状態を示した引出し部材の断面図である。
【図１０】同上のチューブの引出しが不能な状態を示した引出し部材の断面図である。
【図１１】第１、第２フードを一体化するための締付部材の断面図である。
【図１２】第２フードをロックするためのロック部材の断面図である。
【図１３】同上のＡ−Ａ線断面図である。
【図１４】第１、第２フードの開閉状態を示す側面図であり、（ａ）は導入時の状態を示し、（ｂ）は後頭部のロッドとチューブとを接続する時の状態を示し、（ｃ）は前頭部のロッドとチューブとを接続する時の状態を示す。
【図１５】操作盤の正面図である。
【図１６】制御回路の回路ブロック図である。
【図１７】同上の制御回路の動作を示すフローチャートである。
【図１８】第２実施例の側面図である。
【図１９】同上の要部を示す背面図である。
【図２０】蒸気をフード内に噴出する部分の正面図である。
【符号の説明】
【００６２】
Ｆ          フード
３          ハウジング
７          第１フード
８          第２フード
９          締付部材
１０        ロック部材
【図１】
2008036195.tif 000003
【図２】
2008036195.tif 000004
【図３】
2008036195.tif 000005
【図４】
2008036195.tif 000006
【図５】
2008036195.tif 000007
【図６】
2008036195.tif 000008
【図７】
2008036195.tif 000009
【図８】
2008036195.tif 000010
【図９】
2008036195.tif 000011
【図１０】
2008036195.tif 000012
【図１１】
2008036195.tif 000013
【図１２】
2008036195.tif 000014
【図１３】
2008036195.tif 000015
【図１４】
2008036195.tif 000016
【図１５】
2008036195.tif 000017
【図１６】
2008036195.tif 000018
【図１７】
2008036195.tif 000019
【図１８】
2008036195.tif 000020
【図１９】
2008036195.tif 000021
【図２０】
2008036195.tif 000022